【手続補正書】
【提出日】平成20年7月25日(2008.7.25)
【手続補正１】
【補正対象書類名】明細書
【補正対象項目名】特許請求の範囲
【補正方法】変更
【補正の内容】
【特許請求の範囲】
【請求項１】  音声情報を入力または出力可能な周辺装置が１または複数個接続されている情報処理装置において、
前記各周辺装置に設定された入力または出力に関する音量設定情報を複数記憶できる音量設定情報記憶手段と、
この音量設定情報記憶手段への音量設定情報の記憶を指示する音量記憶指示手段と、
この音量記憶指示手段の指示により音量設定記憶が有効となったとき、前記各周辺装置に設定されている音量設定情報を前記音量設定情報記憶手段に記憶する音量設定記憶制御手段とを備え、
前記音量設定記憶制御手段は、前記各周辺装置に設定されている音量設定情報と任意の時刻情報とを関連付けて前記音量設定情報記憶手段に記憶するとともに、前記音量記憶指示手段の指示により音量設定記憶が有効となったときの時刻と前記各周辺装置の音量レベルとを取得し、取得した時刻と前記音量設定情報記憶手段に記憶されている時刻情報とを比較し、取得した時刻を含む時刻情報がある場合には、その時刻情報に関連付けられている音量設定情報を、前記取得した音量レベルの情報に更新記憶する一方、取得した時刻を含む時刻情報がない場合には、その取得した時刻を含む時刻情報と前記取得した音量レベルとを新たな音量設定情報として関連付けて前記音量設定情報記憶手段に追加記憶することを特徴とする音量調節機能付き情報処理装置。
【請求項２】  音声情報を入力または出力可能な周辺装置が１または複数個接続されている情報処理装置において、
前記各周辺装置に設定された入力または出力に関する音量設定情報を複数記憶できる音量設定情報記憶手段と、
この音量設定情報記憶手段に記憶された音量設定情報の再設定を指示する音量再設定指示手段と、  
この音量再設定指示手段の指示により音量再設定が有効となったとき、前記音量設定情報記憶手段に記憶されている音量設定情報を参照し、参照した音量設定情報に従って前記周辺装置の音量を再設定する音量再設定制御手段とを備えたことを特徴とする音量調節機能付き情報処理装置。
【請求項３】  前記音量設定情報記憶手段には、前記各周辺装置に設定されている音量設定情報が任意の時刻情報に関連付けられて記憶されており、 前記音量再設定制御手段は、前記音量再設定指示手段の指示により音量再設定が有効となったときの時刻を取得し、取得した時刻と前記音量設定情報記憶手段に記憶されている時刻情報とを比較し、取得した時刻を含む時刻情報がある場合には、その時刻情報に関連付けられている音量設定情報を前記周辺装置の音量として再設定することを特徴とする請求項２に記載の音量調節機能付き情報処理装置。
【請求項４】  前記音量設定情報記憶手段には、前記各周辺装置に設定されている音量設定情報が本装置にインストールされているプログラムに関連付けられて記憶されており、 前記音量再設定制御手段は、前記音量再設定指示手段の指示により音量再設定が有効となったときに実行されているプログラムに基づいて前記音量設定情報記憶手段に記憶されているプログラムを検索し、一致するプログラムがある場合にはそのプログラムに関連付けられている音量設定情報を前記周辺装置の音量として再設定することを特徴とする請求項２に記載の音量調節機能付き情報処理装置。
【請求項５】  前記音量設定情報記憶手段には、前記各周辺装置に設定されている音量設定情報が任意の時刻情報と本装置にインストールされているプログラムとに関連付けられて記憶されており、 前記音量再設定制御手段は、前記音量再設定指示手段の指示により音量再設定が有効となったときの時刻とそのときに実行されているプログラムの種類とを取得し、取得した時刻と前記音量設定情報記憶手段に記憶されている時刻情報とを比較し、取得した時刻を含む時刻情報があり、かつその時刻情報に関連付けられているプログラムが前記実行されているプログラムと一致する場合には、そのプログラムに関連付けられている音量設定情報を前記周辺装置の音量として再設定することを特徴とする請求項２に記載の音量調節機能付き情報処理装置。
【請求項６】  前記音量設定情報記憶手段には、前記各周辺装置に設定されている音量設定情報が本装置にインストールされているプログラムに関連付けられて記憶されており、 前記音量再設定制御手段は、実行されているプログラムのうち最も実行優先度が高いプログラムに基づいて前記音量設定情報記憶手段に記憶されているプログラムを検索し、一致するプログラムがある場合にはそのプログラムに関連付けられている音量設定情報を前記周辺装置の音量として再設定することを特徴とする請求項２に記載の音量調節機能付き情報処理装置。
【請求項７】  前記音量設定情報記憶手段には、前記各周辺装置に設定されている音量設定情報が任意の時刻情報と本装置にインストールされているプログラムとに関連付けられて記憶されており、 前記音量再設定制御手段は、前記音量再設定指示手段の指示により音量再設定が有効となったときの時刻を取得し、取得した時刻と前記音量設定情報記憶手段に記憶されている時刻情報とを比較し、取得した時刻を含む時刻情報がある場合には、その時刻情報に関連付けられているプログラムと最も実行優先度が高いプログラムとを比較し、一致するプログラムがある場合には、そのプログラムに関連付けられている音量設定情報を前記周辺装置の音量として再設定することを特徴とする請求項２に記載の音量調節機能付き情報処理装置。
【請求項８】  前記音量設定情報記憶手段には、前記各周辺装置に設定されている音量設定情報が本装置にインストールされているプログラムに関連付けられて記憶されており、 前記音量再設定制御手段は、実行されているプログラムのうち最も表示優先度が高いプログラムに基づいて前記音量設定情報記憶手段に記憶されているプログラムを検索し、一致するプログラムがある場合にはそのプログラムに関連付けられている音量設定情報を前記周辺装置の音量として再設定することを特徴とする請求項２に記載の音量調節機能付き情報処理装置。
【請求項９】  前記音量設定情報記憶手段には、前記各周辺装置に設定されている音量設定情報が任意の時刻情報と本装置にインストールされているプログラムとに関連付けられて記憶されており、 前記音量再設定制御手段は、前記音量再設定指示手段の指示により音量再設定が有効となったときの時刻を取得し、取得した時刻と前記音量設定情報記憶手段に記憶されている時刻情報とを比較し、取得した時刻を含む時刻情報がある場合には、その時刻情報に関連付けられているプログラムと最も表示優先度が高いプログラムとを比較し、一致するプログラムがある場合には、そのプログラムに関連付けられている音量設定情報を前記周辺装置の音量として再設定することを特徴とする請求項２に記載の音量調節機能付き情報処理装置。
【請求項１０】  前記音量設定情報記憶手段には、登録されている複数の使用者ごとに音量設定情報が記憶されていることを特徴とする請求項１から請求項９までのいずれか１項に記載の音量調節機能付き情報処理装置。
【請求項１１】  前記音量設定記憶制御手段は、前記音量設定情報記憶手段への音量設定情報の記憶を行った後、記憶処理が完了したことを使用者に報知する報知手段を備えたことを特徴とする請求項１に記載の音量調節機能付き情報処理装置。
【請求項１２】  前記音量再設定制御手段は、前記音量設定情報記憶手段への音量設定情報の再設定処理を行った後、再設定処理が完了したことを使用者に報知する報知手段を備えたことを特徴とする請求項２から請求項１０までのいずれか１項に記載の音量調節機能付き情報処理装置。
【請求項１３】  前記報知手段が完了を知らせる音または音声を報知する音報知手段および／または完了メッセージを表示する表示手段であることを特徴とする請求項１１または請求項１２に記載の音量調節機能付き情報処理装置。
【手続補正２】
【補正対象書類名】明細書
【補正対象項目名】００２１
【補正方法】変更
【補正の内容】
【００２１】
また、本発明の音量調節機能付き情報処理装置によれば、前記音量設定情報記憶手段には、前記各周辺装置に設定されている音量設定情報が本装置にインストールされているプログラム（以下「応用プログラム」という。）に関連付けられて記憶されており、前記音量再設定制御手段は、前記音量再設定指示手段の指示により音量再設定が有効となったときに実行されている応用プログラムに基づいて前記音量設定情報記憶手段に記憶されている応用プログラムを検索し、一致する応用プログラムがある場合にはその応用プログラムに関連付けられている音量設定情報を前記周辺装置の音量として再設定することを特徴とする。